(57)【要約】【課題】大人用と子供用とで別々の回帰式を用いて体組成の推定精度向上を図るとともに、この回帰式の切替操作も容易とする大人兼子供両用体組成計を提供する。【解決手段】足サイズが認識可能なように対応づけられた指標部１０を見ながら被測定者（大人又は子供）に適応する位置に通電用電極５又は測定用電極６を変動し、インピーダンス演算部１３ａにおいて測定用電極６から検出した身体の電圧に基づいてインピーダンスを演算し、身体特定化情報取得部２において身体特定化情報を取得し、電極間隔判別部９において通電用電極５と測定用電極６の間隔の大小を判別し、体組成回帰式選択部１３ｃにおいてこの判別に応じた大人用又は子供用の体組成回帰式を予め記憶している記憶部１１から選択し、体組成演算部１３ｄにおいて身体特定化情報及びインピーダンスをこの選択した体組成回帰式に代入して体組成を演算する。【選択図】図２
2005230391.tif 000002
【特許請求の範囲】
【請求項１】
身体特定化情報を取得する身体特定化情報取得部と、身体に電流を流す通電用電極と、前記通電用電極から流された電流に基づいて生じる電圧を検出する測定用電極と、前記測定用電極により検出した電圧に基づいてインピーダンスを演算するインピーダンス演算部と、身体特定化情報及びインピーダンスに基づいて体組成を求めるための体組成回帰式を記憶する記憶部と、前記身体特定化情報取得部により取得した身体特定化情報及び前記インピーダンス演算部により演算したインピーダンスを前記記憶部により記憶した体組成回帰式に代入して体組成を演算する体組成演算部とを有する体組成計おいて、
前記通電用電極及び前記測定用電極は、少なくともいずれか一方が変動し、
前記記憶部により記憶する体組成回帰式は、大人用の体組成回帰式と子供用の体組成回帰式とであり、
前記通電用電極及び前記測定用電極のうちの少なくともいずれか一方の変動に基づいて前記通電用電極と前記測定用電極の間隔の大小を判別する電極間隔判別部と、
前記電極間隔判別部で判別された前記通電用電極と前記測定用電極の間隔の大小が、小さい場合には前記記憶部から子供用の体組成回帰式を選択し、大きい場合には前記記憶部から大人用の体組成回帰式を選択する体組成回帰式選択部とを更に設け、
前記体組成演算部は、前記体組成回帰式選択部により選択した大人用の体組成回帰式又は子供用の体組成回帰式のいずれかにて体組成を演算することを特徴とする大人兼子供両用体組成計。
【請求項２】
前記電極間隔判別部は、前記通電用電極と前記測定用電極とを通る直線上に複数を配置することから成り、前記通電用電極と前記測定用電極の複数の間隔を検出し、
前記記憶部は、足サイズ及び手サイズのうちの少なくともいずれか一方に基づいて身長を求める身長回帰式を更に記憶し、
前記電極間隔判別部により検出した前記通電用電極と前記測定用電極の複数の間隔に足サイズ及び手サイズのうちの少なくともいずれか一方を認識可能なように対応づけた指標部と、
前記電極間隔判別部により検出した前記通電用電極と前記測定用電極の複数の間隔に対応する足サイズ及び手サイズのうちの少なくともいずれか一方を前記記憶部により記憶した身長回帰式に代入して身長を演算する身長演算部とを更に設け、
前記体組成演算部は、前記身体特定化情報取得部により取得した身体特定化情報、前記身長演算部により演算した身長及び前記インピーダンス演算部により演算したインピーダンスを前記記憶部により記憶した体組成回帰式に代入して体組成を演算することを特徴とする請求項１記載の大人兼子供両用体組成計。
【発明の詳細な説明】
【技術分野】
【０００１】
本発明は、大人モードと子供モードとに切替え、それぞれの体組成について、インピーダンス法により測定する大人兼子供両用体組成計に関する。
【背景技術】
【０００２】
従来、体脂肪、内臓脂肪、皮下脂肪、筋肉、骨、体水分その他の体内成分についての総称として一般的に呼ばれている、いわゆる体組成を、インピーダンス法によって測定する電極を有した体組成計の一種として、特許文献１に示すような、被測定者の体格に応じて単に電極の位置を移動することができる体脂肪計が開示されている。このような体組成計（体脂肪計）は、被測定者の体格に応じて足の裏に安定して電極を接触させることができ、インピーダンスを正確に測定できるものである。
【０００３】
【特許文献１】特開２０００−２４５７０７号公報
【発明の開示】
【発明が解決しようとする課題】
【０００４】
しかし、このような体組成計は、一般的に、測定したインピーダンス等に基づいて体組成を演算するにあたって回帰式を用いているが、この回帰式に、大人と子供（幼児も含む）の両用として導き出したものを用いると、大人については成長が安定しており、一方、子供については成長著しいといった理由から体内成分のバランスが大人と子供とで異なるため、体組成の推定精度が下がるといった問題があった。
【０００５】
そこで、本発明は、大人用と子供用とで別々の回帰式を用いて体組成の推定精度向上を図るとともに、この回帰式の切替操作も容易とする大人兼子供両用体組成計を提供することを課題とする。
【課題を解決するための手段】
【０００６】
本発明の大人兼子供両用体組成計は、身体特定化情報を取得する身体特定化情報取得部と、身体に電流を流す通電用電極と、前記通電用電極から流された電流に基づいて生じる電圧を検出する測定用電極と、前記測定用電極により検出した電圧に基づいてインピーダンスを演算するインピーダンス演算部と、身体特定化情報及びインピーダンスに基づいて体組成を求めるための体組成回帰式を記憶する記憶部と、前記身体特定化情報取得部により取得した身体特定化情報及び前記インピーダンス演算部により演算したインピーダンスを前記記憶部により記憶した体組成回帰式に代入して体組成を演算する体組成演算部とを有する体組成計おいて、前記通電用電極及び前記測定用電極は、少なくともいずれか一方が変動し、前記記憶部により記憶する体組成回帰式は、大人用の体組成回帰式と子供用の体組成回帰式とであり、前記通電用電極及び前記測定用電極のうちの少なくともいずれか一方の変動に基づいて前記通電用電極と前記測定用電極の間隔の大小を判別する電極間隔判別部と、前記電極間隔判別部で判別された前記通電用電極と前記測定用電極の間隔の大小が、小さい場合には前記記憶部から子供用の体組成回帰式を選択し、大きい場合には前記記憶部から大人用の体組成回帰式を選択する体組成回帰式選択部とを更に設け、前記体組成演算部は、前記体組成回帰式選択部により選択した大人用の体組成回帰式又は子供用の体組成回帰式のいずれかにて体組成を演算することを特徴とする。
【０００７】
また、前記電極間隔判別部は、前記通電用電極と前記測定用電極とを通る直線上に複数を配置することから成り、前記通電用電極と前記測定用電極の複数の間隔を検出し、前記記憶部は、足サイズ及び手サイズのうちの少なくともいずれか一方に基づいて身長を求める身長回帰式を更に記憶し、前記電極間隔判別部により検出した前記通電用電極と前記測定用電極の複数の間隔に足サイズ及び手サイズのうちの少なくともいずれか一方を認識可能なように対応づけた指標部と、前記電極間隔判別部により検出した前記通電用電極と前記測定用電極の複数の間隔に対応する足サイズ及び手サイズのうちの少なくともいずれか一方を前記記憶部により記憶した身長回帰式に代入して身長を演算する身長演算部とを更に設け、前記体組成演算部は、前記身体特定化情報取得部により取得した身体特定化情報、前記身長演算部により演算した身長及び前記インピーダンス演算部により演算したインピーダンスを前記記憶部により記憶した体組成回帰式に代入して体組成を演算することを特徴とする。
【発明の効果】
【０００８】
本発明の大人兼子供両用体組成計は、被測定者（大人又は子供）に適応する位置に通電用電極又は測定用電極を変動すると、電極間隔判別部において通電用電極と測定用電極の間隔の大小を判別し、体組成回帰式選択部においてこの判別に応じた大人用又は子供用の体組成回帰式を選択し、体組成演算部においてこの選択した体組成回帰式に基づいて体組成を演算することから、被測定者（大人又は子供）に適応した体組成が推定でき精度が向上するとともに、一般的に切替の際に用いる入力部を利用することなく体組成回帰式の切替が行えるので手間がかからず操作が容易となる。
【０００９】
また、指標部において通電用電極と測定用電極の複数の間隔に足サイズ及び手サイズのうちの少なくともいずれか一方が認識可能なように対応づけられていることから、通電用電極及び測定用電極のうちの少なくともいずれか一方を被測定者の身長に適応する位置に変動することが容易であるとともに、電極間隔判別部において通電用電極及び測定用電極のうちの少なくともいずれか一方の変動した際における通電用電極と測定用電極の間隔を検出し、身長演算部においてこの間隔に対応する足サイズ及び手サイズのうちの少なくともいずれか一方に基づいて身長を演算し、体組成演算部においてこの演算した身長を用いて体組成を演算することから、身体特定化情報取得部から身体特定化情報として身長を取得する手間が軽減されて操作が容易となる。
【発明を実施するための最良の形態】
【００１０】
本発明の大人兼子供両用体組成計は、身体特定化情報取得部、通電用電極、測定用電極、インピーダンス演算部、記憶部、電極間隔判別部、体組成回帰式選択部及び体組成演算部から構成する。ここで、子供とは幼児であってもよい（以下、同様）。
【００１１】
身体特定化情報取得部は、体重、身長、年齢、性別、人種等の主に体格に係わる身体の状況を示す身体特定化情報を取得する。なお、ここで取得とは、入力及び測定による取得、入力だけによる取得、測定だけによる取得のうちいずれかであることを意味する。
【００１２】
通電用電極は身体に電流を流し、測定用電極は通電用電極から流された電流に基づいて生じる電圧を検出する。そして、通電用電極及び測定用電極のうち少なくともいずれか一方が変動し、通電用電極と測定用電極との間隔が変えられる。なお、ここで変動とは、移動、変形、追加等によって異なった状態に変化することを意味する。
【００１３】
インピーダンス演算部は、前記測定用電極により検出した電圧に基づいてインピーダンスを演算する。記憶部は、身体特定化情報及びインピーダンスに基づいて体組成を求めるための大人用の体組成回帰式と子供用の体組成回帰式とを記憶する。
【００１４】
電極間隔判別部は、通電用電極及び測定用電極のうちの少なくともいずれか一方の変動に基づいて通電用電極と測定用電極の間隔の大小を判別する。体組成回帰式選択部は、電極間隔判別部で判別された通電用電極と測定用電極の間隔が、小さい場合には記憶部から子供用の体組成回帰式を選択し、大きい場合には記憶部から大人用の体組成回帰式を選択する。
【００１５】
体組成演算部は、身体特定化情報取得部により取得した身体特定化情報及びインピーダンス演算部により演算したインピーダンスを体組成回帰式選択部により選択した大人用の体組成回帰式又は子供用の体組成回帰式に代入して体組成を演算する。
【００１６】
このように構成した大人兼子供両用体組成計によると、被測定者（大人又は子供）に適応する位置に通電用電極又は測定用電極を変動すると、電極間隔判別部において通電用電極と測定用電極の間隔の大小を判別し、体組成回帰式選択部においてこの判別に応じた大人用又は子供用の体組成回帰式を選択し、体組成演算部においてこの選択した体組成回帰式に基づいて体組成を演算するので、被測定者（大人又は子供）に適応した体組成が推定できので精度が向上するとともに、一般的に切替の際に用いる入力部を利用することなく体組成回帰式の切替が行えるので手間がかからず操作が容易となる。
【００１７】
また、上述した構成において、電極間隔判別部は、通電用電極と測定用電極とを通る直線上に複数を配置することから成り、通電用電極と測定用電極の複数の間隔を検出し、記憶部は、足サイズ及び手サイズのうちの少なくともいずれか一方に基づいて身長を求める身長回帰式を更に記憶し、電極間隔判別部により検出した通電用電極と測定用電極の複数の間隔に足サイズ及び手サイズのうちの少なくともいずれか一方を認識可能なように対応づけた指標部と、電極間隔判別部により検出した通電用電極と測定用電極の複数の間隔に対応する足サイズ及び手サイズのうちの少なくともいずれか一方を記憶部により記憶した身長回帰式に代入して身長を演算する身長演算部とを更に設け、体組成演算部は、身体特定化情報取得部により取得した身体特定化情報、身長演算部により演算した身長及びインピーダンス演算部により演算したインピーダンスを記憶部により記憶した体組成回帰式に代入して体組成を演算するものとしてもよい。
【００１８】
このように構成することによって、指標部において通電用電極と測定用電極の複数の間隔に足サイズ及び手サイズのうちの少なくともいずれか一方が認識可能なように対応づけられていることので、通電用電極及び測定用電極のうちの少なくともいずれか一方を被測定者の身長に適応する位置に変動することが容易であるとともに、電極間隔判別部において通電用電極及び測定用電極のうちの少なくともいずれか一方の変動した際における通電用電極と測定用電極の間隔を検出し、身長演算部においてこの間隔に対応する足サイズ及び手サイズのうちの少なくともいずれか一方に基づいて身長を演算し、体組成演算部においてこの演算した身長を用いて体組成を演算することので、身体特定化情報取得部から身体特定化情報として身長を取得する手間が軽減されて操作が容易となる。
【００１９】
以下、上述した形態において、身長演算部を有するものの実施例について具体的に説明する。
【実施例】
【００２０】
まず、図１に示す外観図、図２に示すブロック図を用いて、本発明に係わる大人兼子供両用体組成計の具体的な構成について説明する。
【００２１】
本発明に係わる大人兼子供両用体組成計は、電源部１、入力部２ａ、体重測定部２ｂ、電流供給部３、通電用電極切替部４、通電用電極５、測定用電極６、測定用電極切替部７、電圧測定部８、電極間隔判別部９、指標部１０、記憶部１１、表示部１２及び演算・制御部１３を備える。
【００２２】
電源部１は、本装置の電気系統各部に電力を供給する。
【００２３】
入力部２ａは、数値を切替えるためのアップキー２ａ１及びダウンキー２ａ３と、数値を確定するための設定キー２ａ２とから成り、身体特定化情報として年齢等を入力する。体重測定部２ｂは、公知の体重計の如き、重量検出部、増幅部、ＡＤ変換部及び体重演算部等から成り、体重を測定する。なお、入力部２ａ及び体重測定部２ｂにて身体特定化情報取得部２を構成する。
【００２４】
電流供給部３は、演算・制御部１３からの制御により身体に流すための電流を発生する。通電用電極切替部４は、演算・制御部１３からの制御により電流を通じさせるための通電用電極５を切替選択する。
【００２５】
通電用電極５は、足裏と接触するための通電用電極５（５ａ、５ｂ）を体重測定部２ｂに、手のひらと接触するための通電用電極５（５ｃ、５ｄ）をグリップ部１５ａ、１５ｂに備え、これら通電用電極５のうち、一の通電用電極５から身体を通して他のいずれかの通電用電極５に電流を流す。測定用電極は、一の通電用電極から他のいずれかの通電用電極に流された電流に基づいて身体に生じる電圧を検出する。そして、通電用電極５（５ａ、５ｂ、５ｃ、５ｄ）は、スライドして移動し、測定用電極６（６ａ、６ｂ、６ｃ、６ｄ）との間隔が変えられる。
【００２６】
測定用電極切替部７は、演算・制御部１３からの制御により電圧を検出するための測定用電極６を選択する。電圧測定部８は、検出した電圧を増幅し、デジタル変換する。
【００２７】
電極間隔判別部９は、体重測定部２ｂにおける通電用電極５ａ、５ｂと測定用電極６ａ、６ｂとを結ぶ間の直線上に配設する複数の接触スイッチ９ａ、９ｂと、グリップ部部１５ａ、１５ｂにおける通電用電極５ｃ、５ｄと測定用電極６ｃ、６ｄとを結ぶ間の直線上に配設する一つの接触スイッチ９ｃ、９ｄとから成る。接触スイッチ９ａ、９ｂ、９ｃ、９ｄが通電用電極５に、接触している場合には通電用電極５と測定用電極６との間隔が小さく、接触していない場合には通電用電極５と測定用電極６との間隔が大きい旨を判別する。更に、体重測定部２ｂにおける複数の接触スイッチ９ａ、９ｂについては、通電用電極５ａ、５ｂと接触しているものの位置によって通電用電極５ａ、５ｂと測定用電極６ａ、６ｂの間隔そのものも検出する。
【００２８】
指標部１０は、体重測定部２ｂにおける複数の接触スイッチ９ａ、９ｂの各々の横と、通電用電極５ａ、５ｂと測定用電極６ａ、６ｂの間隔を最大に離した通電用電極５ａ、５ｂの横とに、通電用電極５ａ、５ｂと測定用電極６ａ、６ｂの間隔に対応づけた足サイズがそれぞれの接触スイッチ９ａ、９ｂの横に印刷されて表示するものであり（図示省略）、被測定者が自分の足サイズに該当する通電用電極５ａ、５ｂの移動位置が認識できるようになっている。例えば、図４の場合、複数の接触スイッチ９ａの各々の横には、測定用電極６ａの最も近い側から８、１０、１２、１４、１６、１８ｃｍを印刷表示し、通電用電極５ａと測定用電極６ａの間隔を最大に離した通電用電極５ａの横には、２０ｃｍ以上を印刷表示するものである（印刷表示省略）。
【００２９】
記憶部１１は、身体特定化情報（体重、身長、年齢）及びインピーダンスに基づいて体組成を求めるための大人用の体組成回帰式及び子供用の体組成回帰式と、足サイズに基づいて身長を求める身長回帰式とを記憶するとともに、公知の如き、演算や制御等をするためのプログラムや各種データも記憶をする。ここで、大人用の体組成回帰式には、％ＦＡＴ＝｛Ｗ−（ｋ１＋ｋ２×Ｈ２／Ｚ＋ｋ３×Ｗ＋ｋ４×Ａ）｝／Ｗ×１００を用い、子供用の体組成回帰式には、％ＦＡＴ＝｛Ｗ−（ｋ１＋ｋ２×Ｈ２／Ｚ＋ｋ３×Ｗ＋ｋ４×Ａ＋ｋ５×Ｈ）｝／Ｗ×１００を用いる。なお、％ＦＡＴは体脂肪率、Ｗは体重、Ｈは身長、Ｚはインピーダンス、Ａは年齢、ｋ１〜ｋ５は係数（定数）を示す。また、身長回帰式には、Ｈ＝ａＦ２＋ｂＦ＋ｃを用いる。なお、Ｈは身長、Ｆは足サイズ、ａ、ｂ、ｃは係数（定数）を示す。なお、これらの大人用の体組成回帰式、子供用の体組成回帰式及び身長回帰式は、多くの被験者を対象としたデータに基づいて予め求めたものである。
【００３０】
表示部１２は、体組成値（体脂肪率）の結果等についての表示をする。
【００３１】
演算・制御部１３は、測定用電極６により検出した電圧に基づいてインピーダンスを演算するインピーダンス演算部１３ａと、電極間隔判別部９により検出した通電用電極５ａ、５ｂと測定用電極６ａ、６ｂの複数の間隔に対応する足サイズを記憶部１１により記憶した身長回帰式に代入して身長を演算する身長演算部１３ｂと、電極間隔判別部９で判別された通電用電極５ａ、５ｂと測定用電極６ａ、６ｂの間隔が、小さい場合には記憶部１１から子供用の体組成回帰式を選択し、大きい場合には記憶部１１から大人用の体組成回帰式を選択する体組成回帰式選択部１３ｃと、身体特定化情報取得部２（入力部２ａ、体重測定部２ｂ）により取得した身体特定化情報（年齢、体重）、身長演算部１３ｂにより演算した身長及びインピーダンス演算部１３ａにより演算したインピーダンスを体組成回帰式選択部１３ｃにより選択した大人用の体組成回帰式又は子供用の体組成回帰式に代入して体組成値（体脂肪率）を演算する体組成演算部１３ｄとを兼有し、各種の演算及び制御を行う。
【００３２】
外観上は、概略Ｌ型の形状を成し、体重測定部２ｂを下部に、表示部１２及び入力部２ａ（アップキー２ａ１、ダウンキー２ａ３、設定キー２ａ２）を上部に、左右側面から引き出されたコード１６ａ、１６ｂにグリップ部１５ａ、１５ｂを配設する。そして、体重測定部２ｂには、左足通電用電極５ｂ、左足測定用電極６ｂ、右足通電用電極５ａ及び右足測定用電極６ａを配設し、通電用電極５ａ、５ｂと測定用電極６ａ、６ｂとを結ぶ間の直線上に複数の接触スイッチ９ａ、９ｂを配設する。また、グリップ部１５ｂには左手通電用電極５ｄ及び左手測定用電極６ｄ、グリップ部１５ａには右手通電用電極５ｃ及び右手測定用電極６ｃを配設し、それぞれ通電用電極５ｃ、５ｄと測定用電極６ｃ、６ｄとを結ぶ間の直線上に一つの接触スイッチ９ｃ、９ｄを配設する。
【００３３】
次に、図３に示すフローチャート、図４に示す体重測定部における通電用電極の移動について示す図を用いて、本発明に係わる大人兼子供両用体組成計の操作及び動作について説明する。
【００３４】
まず、電源部１から各電気系統各部に電力を供給し、各部が作動状態の際に、被測定者の条件に該当する位置に通電用電極５ａ、５ｂ、５ｃ、５ｄを移動すると、通電用電極５ａ、５ｂ、５ｃ、５ｄと測定用電極６ａ、６ｂ、６ｃ、６ｄの間隔の大小の判別結果、及び通電用電極５ａ、５ｂと測定用電極６ａ、６ｂとの間隔そのものの結果を記憶部１１に記憶する（ステップＳ１）。より具体的には、体重測定部２ｂにおける通電用電極５ａ、５ｂが、接触スイッチ９ａ、９ｂの横に印刷表示されている足サイズに該当する位置に移動（例えば、図４（ａ）の位置から（ｂ）の位置に移動）すると、通電用電極５ａ、５ｂと接触スイッチ９ａ、９ｂとの接触状況に基づいて、通電用電極５ａ、５ｂと測定用電極６ａ、６ｂの間隔の大小（例えば、小さい）、及び通電用電極５ａ、５ｂと測定用電極６ａ、６ｂとの間隔に対応する足サイズ（例えば、１４ｃｍ）を記憶部１１に記憶する。また、グリップ部１５ａ、１５ｂにおける通電用電極５ｃ、５ｄを移動（例えば、通電用電極５ｃ、５ｄを測定用電極６ｃ、６ｄに近づけた位置に移動）すると、通電用電極５ｃ、５ｄと接触スイッチ９ｃ、９ｄとの接触状況に基づいて、通電用電極５ｃ、５ｄと測定用電極６ｃ、６ｄの間隔の大小（例えば、小さい）を記憶部１１に記憶する。
【００３５】
続いて、入力部２ａから年齢（例えば、７歳）を入力し、記憶部１１にその年齢を記憶する（ステップＳ２）。
【００３６】
続いて、身長演算部１３ｂにおいて、記憶部１１に記憶している身長回帰式Ｈ＝ａＦ２＋ｂＦ＋ｃに先に記憶した足サイズ（例えば、１４ｃｍ）を代入して身長を演算し、記憶部１１に演算した身長を記憶する（ステップＳ３）。
【００３７】
続いて、被測定者が、通電用電極５ａ、５ｂと測定用電極６ａ、６ｂとに足裏が接触するように体重測定部２ｂに乗り、通電用電極５ｃ、５ｄと測定用電極６ｃ、６ｄとに手のひらが接触するようにグリップ部１５ａ、１５ｂを握ると、電流供給部３から発生した電流が通電用電極５から身体に流れ、測定用電極６においてその際の電圧を検出し、電圧測定部８においてこの検出した電圧を増幅・デジタル変換し、インピーダンス演算部１３ａにおいてこのデジタル変換した電圧に基づいてインピーダンスを演算するとともに、体重を測定し、記憶部１１にそのインピーダンスと体重を記憶する（ステップＳ４）。
【００３８】
続いて、体組成回帰式選択部１３ｃにおいて、記憶部１１に先に記憶した通電用電極５と測定用電極６の間隔の大小（例えば、５ａ６ａ間、５ｂ６ｂ間、５ｃ６ｃ間及び５ｄ６ｄ間のすべてにおいて間隔が小さい）から記憶部１１から適応する体組成回帰式（例えば、子供用）を選択する（ステップＳ５）。
【００３９】
続いて、体組成演算部１３ｄは、記憶部１１に先に記憶した年齢、体重、身長及びインピーダンスを記憶部１１により予め記憶した体組成回帰式（例えば、子供用の％ＦＡＴ＝｛Ｗ−（ｋ１＋ｋ２×Ｈ２／Ｚ＋ｋ３×Ｗ＋ｋ４×Ａ＋ｋ５×Ｈ）｝／Ｗ×１００）に代入して体組成値（例えば、子供用の体脂肪率）を演算する（ステップＳ６）。
【００４０】
続いて、表示部１２において、その演算した体組成値（例えば、子供用の体脂肪率）の表示を行う（ステップＳ７）。以上のような一連の流れを経て操作及び動作についての処理を完了する。
【００４１】
なお、上述した実施例において、記憶部１１に予め記憶して用いた体組成回帰式は、相関性を有するものであればどのような回帰式であっても実施可能であるが、特に、次のようなものが有効である。
【００４２】
（ｉ）大人用の体組成回帰式が、％ＦＡＴ＝｛Ｗ−（ｋ１＋ｋ２×Ｈ２／Ｚ＋ｋ３×Ｗ＋ｋ４×Ｒ／｜Ｘ｜）｝／Ｗ×１００で、子供用の体組成回帰式が、％ＦＡＴ＝｛Ｗ−（ｋ１＋ｋ２×Ｈ２／Ｚ＋ｋ３×Ｗ＋ｋ４×Ｒ／｜Ｘ｜＋ｋ５×Ｈ）｝／Ｗ×１００である。
（ii）大人用の体組成回帰式が、％ＦＡＴ＝｛Ｗ−（ｋ１＋ｋ２×Ｈ２／Ｚ＋ｋ３×Ｗ＋ｋ４×Ｒ／√｜Ｘ｜）｝／Ｗ×１００で、子供用の体組成回帰式が、％ＦＡＴ＝｛Ｗ−（ｋ１＋ｋ２×Ｈ２／Ｚ＋ｋ３×Ｗ＋ｋ４×Ｒ／√｜Ｘ｜＋ｋ５×Ｈ）｝／Ｗ×１００である。
（iii）大人用の体組成回帰式が、％ＦＡＴ＝｛４.５７／（ｋ１＋ｋ２×Ｚ×Ｗ／Ｈ２＋ｋ３×Ｚ＋ｋ４×Ａ）−４.１４２｝×１００で、子供用の体組成回帰式が、％ＦＡＴ＝｛４.５７／（ｋ１＋ｋ２×Ｚ×Ｗ／Ｈ２＋ｋ３×Ｚ＋ｋ４×Ａ＋ｋ５×Ｈ）−４.１４２｝×１００である。
（iv）大人用の体組成回帰式が、％ＦＡＴ＝｛４.５７／（ｋ１＋ｋ２×Ｚ×Ｗ／Ｈ２＋ｋ３×Ｚ＋ｋ４×Ｒ／｜Ｘ｜）−４.１４２｝×１００で、子供用の体組成回帰式が、％ＦＡＴ＝｛４.５７／（ｋ１＋ｋ２×Ｚ×Ｗ／Ｈ２＋ｋ３×Ｚ＋ｋ４×Ｒ／｜Ｘ｜＋ｋ５×Ｈ）−４.１４２｝×１００である。
（ｖ）大人用の体組成回帰式が、％ＦＡＴ＝｛４.５７／（ｋ１＋ｋ２×Ｚ×Ｗ／Ｈ２＋ｋ３×Ｚ＋ｋ４×Ｒ／√｜Ｘ｜）−４.１４２｝×１００で、子供用の体組成回帰式が、％ＦＡＴ＝｛４.５７／（ｋ１＋ｋ２×Ｚ×Ｗ／Ｈ２＋ｋ３×Ｚ＋ｋ４×Ｒ／√｜Ｘ｜＋ｋ５×Ｈ）−４.１４２｝×１００である。
（vi）大人用の体組成回帰式が、％ＦＡＴ＝ｋ１＋ｋ２×Ｚ×Ｗ／Ｈ２＋ｋ３×Ｚ＋ｋ４×Ａで、子供用の体組成回帰式が、％ＦＡＴ＝ｋ１＋ｋ２×Ｚ×Ｗ／Ｈ２＋ｋ３×Ｚ＋ｋ４×Ａ＋ｋ５×Ｈである。
（vii）大人用の体組成回帰式が、％ＦＡＴ＝ｋ１＋ｋ２×Ｚ×Ｗ／Ｈ２＋ｋ３×Ｚ＋ｋ４×Ｒ／｜Ｘ｜で、子供用の体組成回帰式が、％ＦＡＴ＝ｋ１＋ｋ２×Ｚ×Ｗ／Ｈ２＋ｋ３×Ｚ＋ｋ４×Ｒ／｜Ｘ｜＋ｋ５×Ｈである。
（viii）大人用の体組成回帰式が、％ＦＡＴ＝ｋ１＋ｋ２×Ｚ×Ｗ／Ｈ２＋ｋ３×Ｚ＋ｋ４×Ｒ／√｜Ｘ｜で、子供用の体組成回帰式が、％ＦＡＴ＝ｋ１＋ｋ２×Ｚ×Ｗ／Ｈ２＋ｋ３×Ｚ＋ｋ４×Ｒ／√｜Ｘ｜＋ｋ５×Ｈである。
（ix）大人用の体組成回帰式が、％ＦＡＴ＝ｋ１＋ｋ２×Ｈ２／Ｚ×Ｗ＋ｋ３×１／Ｚ＋ｋ４×Ａで、子供用の体組成回帰式が、％ＦＡＴ＝ｋ１＋ｋ２×Ｈ２／Ｚ×Ｗ＋ｋ３×１／Ｚ＋ｋ４×Ａ＋ｋ５×Ｈである。
（ｘ）大人用の体組成回帰式が、％ＦＡＴ＝ｋ１＋ｋ２×Ｈ２／Ｚ×Ｗ＋ｋ３×１／Ｚ＋ｋ４×Ｒ／｜Ｘ｜で、子供用の体組成回帰式が、％ＦＡＴ＝ｋ１＋ｋ２×Ｈ２／Ｚ×Ｗ＋ｋ３×１／Ｚ＋ｋ４×Ｒ／｜Ｘ｜＋ｋ５×Ｈである。
（xi）大人用の体組成回帰式が、％ＦＡＴ＝ｋ１＋ｋ２×Ｈ２／Ｚ×Ｗ＋ｋ３×１／Ｚ＋ｋ４×Ｒ／√｜Ｘ｜で、子供用の体組成回帰式が、％ＦＡＴ＝ｋ１＋ｋ２×Ｈ２／Ｚ×Ｗ＋ｋ３×１／Ｚ＋ｋ４×Ｒ／√｜Ｘ｜＋ｋ５×Ｈである。
（xii）大人用の体組成回帰式が、上述した大人用の体組成回帰式で、子供用の体組成回帰式が、大人用の体組成回帰式の大人用の係数（定数）ｋ１〜ｋ４を子供用の係数（定数）ｋ'１〜ｋ'4に置き換えたものである。
【００４３】
上記の（ｉ）〜（xi）において、％ＦＡＴは体脂肪率、Ｗは体重、Ｈは身長、Ａは年齢、Ｚはインピーダンス、Ｒはインピーダンスの抵抗成分、Ｘはインピーダンスのリアクタンス成分、ｋ１〜ｋ５は係数（定数）を示す。
【００４４】
なお、上記において、インピーダンスの抵抗成分Ｒ、インピーダンスのリアクタンス成分Ｘを含んだ回帰式を用いる場合には、電圧測定部８において、抵抗成分Ｒ及びリアクタンス成分Ｘに基づく電圧のデジタル出力を行い、インピーダンス演算部１３ａにおいて、この抵抗成分Ｒ及びリアクタンス成分Ｘに基づく出力に基づいて抵抗成分Ｒ及びリアクタンス成分Ｘを演算し、かつ、抵抗成分Ｒ及びリアクタンス成分Ｘに基づいてインピーダンスを演算するようにする。
【００４５】
また、体組成回帰式は、体脂肪率を求めるものであったが、内臓脂肪、皮下脂肪、筋肉、骨又は体水分等の値を求めるものとしても実施可能である。
【００４６】
また、記憶部１１に予め記憶して用いた身長回帰式は、Ｈ＝ｄＦ＋ｅであってもよい。なお、Ｈは身長、Ｆは足サイズ、ｄ、ｅは係数（定数）を示す。
【００４７】
また、上述した実施例においては、体重測定部２ｂにおける通電用電極５ａ、５ｂと測定用電極６ａ、６ｂとを結ぶ間の直線上に複数の接触スイッチ９ａ、９ｂを配設したが、通電用電極５ａ、５ｂと測定用電極６ａ、６ｂとを結ぶ直線上に複数の接触スイッチを配設すれば、同様に実施可能である。例えば、通電用電極５ａ、５ｂと測定用電極６ａ、６ｂとを結ぶ直線上の通電用電極５ａ、５ｂの外側に複数の接触スイッチ９ａ、９ｂを配設してもよい。
【００４８】
また、体重測定部２ｂ側に複数の接触スイッチ９ａ、９ｂを配設したが、グリップ部１５ａ、１５ｂ側の通電用電極５ｃ、５ｄと測定用電極６ｃ、６ｄとを結ぶ直線上に複数の接触スイッチを配設してもよい。この場合には、記憶部１１に記憶する身長回帰式は手サイズに基づいて身長を求めるものとすれば同様に実施可能である。
【００４９】
また、体組成回帰式選択部１３ｃにおいて、体組成回帰式を選択する際の条件である通電用電極と測定用電極の間隔の大小については、５ａ６ａ間、５ｂ６ｂ間、５ｃ６ｃ間及び５ｄ６ｄ間のすべてにおいての間隔を対象に例示したが、体重測定部側の５ａ６ａ間及び５ｂ６ｂ間だけの間隔の大小についてを対象としたり、グリップ部側の５ｃ６ｃ間及び５ｄ６ｄ間だけの間隔の大小についてを対象としたり、５ａ６ａ間、５ｂ６ｂ間、５ｃ６ｃ間及び５ｄ６ｄ間のうちのいずれか一つの間隔の大小についてを対象としたりするものであっても実施可能である。
【００５０】
また、通電用電極５を移動する態様としたが、測定用電極６を移動する態様に、又は、通電用電極５と測定用電極６との両方を移動する態様にしても実施可能である。
【００５１】
また、通電用電極５を移動する態様としたが、図５に示すように、大人用の場合には通電用電極５ｅ２を折りたたみ通電用電極５ｅ１重ね、子供用の場合には開いて伸ばすような電極を変形させる態様にしても実施可能である。また、図６に示すように、通電用電極５ｇ２、５ｈ２と測定用電極６ｇ２、６ｈ２とを子供用の電極間隔で配設したカバー２８を体重測定部に重ねるような、すなわち、電極を追加する態様にしても実施可能である。
【００５２】
また、体重測定部２ｂは、複数の接触スイッチ９ａ、９ｂを配設したが、グリップ部１５ａ、１５ｂのように一つの接触スイッチを配設するものであっても実施可能である。ただし、この場合、入力部２ａは、年齢と同様に身長を入力するものとする。
【図面の簡単な説明】
【００５３】
【図１】本発明の一実施例における大人兼子供両用体組成計の外観図である。
【図２】図１の全体構成を示すブロック図である。
【図３】図１の装置の操作及び動作の手順を示すフローチャート図である。
【図４】（ａ）（ｂ）（ｃ）は、図１の装置の体重測定部における通電用電極を移動する態様について示す図でありる。
【図５】（ａ）（ｂ）は、体重測定部における通電用電極を変形させる態様について示す図である。
【図６】体重測定部における電極を追加する態様について示す図である。
【符号の説明】
【００５４】
１  電源部
２  身体特定化情報取得部
２ａ  入力部
２ａ１  アップキー
２ａ２  設定キー
２ａ３  ダウンキー
２ｂ  体重測定部
３  電流供給部
４  通電用電極切替部
５（５ａ、５ｂ、５ｃ、５ｄ、５ｅ１、５ｅ２、５ｇ１、５ｇ２、５ｈ１、５ｈ２）  通電用電極
６（６ａ、６ｂ、６ｃ、６ｄ、６ｅ、６ｇ１、６ｇ２、６ｈ１、６ｈ２）  測定用電極
７  測定用電極切替部
８  電圧測定部
９（９ａ、９ｂ、９ｃ、９ｄ、９ｅ、９ｇ）  電極間隔判別部
１０  指標部
１１  記憶部
１２  表示部
１３  演算・制御部
１３ａ  インピーダンス演算部
１３ｂ  身長演算部
１３ｃ  体組成回帰式選択部
１３ｄ  体組成演算部
１５ａ、１５ｂ  グリップ部
１６ａ、１６ｂ  コード
【図１】
2005230391.tif 000003
【図２】
2005230391.tif 000004
【図３】
2005230391.tif 000005
【図４】
2005230391.tif 000006
【図５】
2005230391.tif 000007
【図６】
2005230391.tif 000008